(57)【要約】【課題】  取り付け容易で壁面に取り付け痕が残らない換気口カバー構造体を提供する。【解決手段】  換気口カバー構造体１は、カバー本体１０と、取付手段２０と、フィルター３０と、換気口６０とからなる。取付手段２０は、カバー本体１０の裏面に取り付けられる磁性素材のプレート２１と、フランジ部６２の表面に取り付けられる磁石２２とからなる。フィルター３０は、プレート２１と磁石２２との間に配置され、かつ、開口１１を内方から覆える大きさに形成されている。換気口カバー構造体１は、磁石２２を取り付けた換気口６０の上にフィルター３０を重ね、更にカバー本体１０を換気口６０に重ねて組み立てられる。このような換気口カバー構造体１は、壁面６１に取り付け痕を残さず、かつ、取り付け容易である。更に、フィルター３０は、プレート２１と磁石２２とで挟まれて保持されるため、取り付け状態が安定したものとなるとともに、交換容易である。【選択図】  図４
2011247486.tif 000002
【特許請求の範囲】
【請求項１】
換気口カバー構造体であって、
壁面にフランジ部を有する換気口と、
前記換気口を覆うような大きさに形成され、開口を有する平板状のカバー本体と、
前記フランジ部の表面及び前記カバー本体の裏面の少なくとも一方に設けられ、前記カバー本体を前記フランジ部に着脱自在に取付けることができる取付手段とを備えた、換気口カバー構造体。
【請求項２】
前記カバー本体は、木製材料より構成され、
前記取付手段は、前記カバー本体及び前記フランジ部の一方に取付けられた磁性材料よりなるプレート又は磁石と、前記カバー本体及び前記フランジ部の他方に取付けられた前記磁石又は前記プレートとを含む、請求項１記載の換気口カバー構造体。
【請求項３】
前記プレートと前記磁石との間に配置され、前記開口を内方から覆うように取付けられるフィルターを更に備えた、請求項２記載の換気口カバー構造体。
【請求項４】
前記磁石は、少なくとも対向位置に一対設置され、
前記フィルターの内面に接するように、前記磁石の各々に架け渡す磁性材料よりなる補強材を更に備えた、請求項３記載の換気口カバー構造体。
【請求項５】
前記カバー本体は木製材料より構成され、
前記取付手段は、前記カバー本体及び前記フランジ部の各々に取付けられた一対の面ファスナーを含む、請求項１記載の換気口カバー構造体。
【請求項６】
前記面ファスナーの各々の間に配置され、前記開口を内方から覆うように取付けられるフィルターを更に備えた、請求項５記載の換気口カバー構造体。
【請求項７】
前記カバー本体は、磁性材料より構成され、
前記取付手段は、前記フランジ部に取付けられた磁石を含む、請求項１記載の換気口カバー構造体。
【請求項８】
換気口カバー構造体であって、
壁面にフランジ部を有する換気口と、
前記換気口を覆うような大きさに形成されると共に前記フランジ部から外方に延びる平坦部を有し、開口を有する平板状のカバー本体と、
前記フランジ部周りの前記壁面及び前記平坦部の裏面の少なくとも一方に設けられ、前記カバー本体を前記壁面に着脱自在に取付けることができる取付手段とを備えた、換気口カバー構造体。
【発明の詳細な説明】
【技術分野】
【０００１】
この発明は換気口カバー構造体に関し、特に住宅室内に設置される換気口に適用する換気口カバー構造体に関するものである。
【背景技術】
【０００２】
現在、シックハウス対策のため、住宅の室内については、原則として換気口の設置が義務付けられている。しかし、この換気口を用いて換気すると、外気と一緒に虫や花粉、埃等の微細ごみが室内に入り込んでしまう場合がある。そこで、以下に示されているような、換気口の通気孔に貼り付けるフィルターが提案されている。
【０００３】
図１６は、このようなフィルターの取付過程を示した模式図である。
【０００４】
まず、図１６の（１）を参照して、換気口６０が壁面６１を貫通するように設置されている。
【０００５】
換気口６０は、壁面６１にフランジ部６２を有し、その中心付近に外気を取り込むための通気孔６３が形成されたものである。
【０００６】
次に、図１６の（２）を参照して、フィルター７０が通気孔６３に貼り付けられている。
【０００７】
フィルター７０は、不織布や布等の、虫や微細ごみの通過を防ぎつつ外気を通す素材よりなり、通気孔６３を覆うような大きさに形成されたものである。尚、フィルター７０の片面には粘着剤が塗られており、フィルター７０は、換気口６０の表面に直接貼り付けることができる。このようにすると、通気孔６３から室内に入り込む外気は必ずフィルター７０を通過するため、換気の際に虫や微細ごみが室内に入り込まない。
【０００８】
上記のようなフィルターは、換気口に簡単に取り付けられるが、フィルターそのものが室内側に剥き出しになり、見た目が悪いものとなっていた。
【０００９】
そこで、特許文献１に示されているような、フィルター装置が提案されている。
【００１０】
図１７は、特許文献１に示されている、従来のフィルター装置のハウジング本体の外観形状を示した正面図であり、図１８は、図１７で示したハウジング本体の取付過程を示した模式図であって、従来のフィルターの図１６に対応した図であり、図１９は、図１８の（２）で示したＸＩＸ−ＸＩＸラインの拡大端面図である。
【００１１】
まず、図１８及び図１９を参照して、フィルター装置８０は、ハウジング本体８１と、ベースフレーム８５とからなる。
【００１２】
次に、図１７及び図１９を参照して、ハウジング本体８１は、換気口６０を覆うような大きさに形成され、開口８２を有するものである。ハウジング本体８１には、開口８２をハウジング本体８１の外側から覆うフィルター８３と、フィルター８３をハウジング本体８１の外側から覆い隠すフィルターカバー８４とが取り付けられている。フィルター８３は、不織布や布等の、虫や微細ごみの通過を防ぎつつ外気を通せる素材よりなる。
【００１３】
更に、図１８及び図１９を参照して、ベースフレーム８５は、その内周が換気口６０のフランジ部６２の外周より大きく、かつ、ハウジング本体８１と嵌合可能となるように形成されている。ベースフレーム８５には、取り付けの際に用いる釘打ち孔８６が複数形成されている。尚、換気口６０は、図１６に示されたものと同一であるため、ここでの説明は繰り返さない。
【００１４】
フィルター装置８０の取り付けに当たっては、まず、図１８の（１）を参照して、換気口６０のフランジ部６２周りの壁面６１に、上述した釘打ち孔８６の各々を通して壁面６１に釘８７を打ち込んで、ベースフレーム８５を壁面６１に取り付ける。
【００１５】
次に、図１８の（２）を参照して、ベースフレーム８５に、ハウジング本体８１を嵌合させて、換気口６０の全体をハウジング本体８１で覆う。このようにして、フィルター装置８０の取り付けが完了する。
このようにすると、通気孔６３から室内に入り込む外気は必ずフィルター８３を通過するため、換気の際に虫や微細ごみが室内に入り込まない。又、フィルター８３が室内に直接露出しないため、視覚上好ましいものとなる。
【先行技術文献】
【特許文献】
【００１６】
【特許文献１】特開２００９−７４７０７号公報
【発明の概要】
【発明が解決しようとする課題】
【００１７】
上記のようなフィルター装置は、まずベースフレームを取り付けた後ハウジング本体を装着させる必要があるため取付作業に手間がかかる。又、ベースフレームの取り付けに釘を用いるため、壁面に取り付け痕が残ってしまうものとなっていた。
【００１８】
この発明は、上記のような課題を解決するためになされたもので、取り付けが容易で壁面に取り付け痕が残らない換気口カバー構造体を提供することを目的とする。
【課題を解決するための手段】
【００１９】
上記の目的を達成するために、請求項１記載の発明は、換気口カバー構造体であって、壁面にフランジ部を有する換気口と、換気口を覆うような大きさに形成され、開口を有する平板状のカバー本体と、フランジ部の表面及びカバー本体の裏面の少なくとも一方に設けられ、カバー本体をフランジ部に着脱自在に取付けることができる取付手段とを備えたものである。
【００２０】
このように構成すると、フランジ部を利用してカバー本体が取付けられる。
【００２１】
請求項２記載の発明は、請求項１記載の発明の構成において、カバー本体は、木製材料より構成され、取付手段は、カバー本体及びフランジ部の一方に取付けられた磁性材料よりなるプレート又は磁石と、カバー本体及びフランジ部の他方に取付けられた磁石又はプレートとを含むものである。
【００２２】
このように構成すると、カバー本体が非磁性材料であっても取り付け可能となる。
【００２３】
請求項３記載の発明は、請求項２記載の発明の構成において、プレートと磁石との間に配置され、開口を内方から覆うように取付けられるフィルターを更に備えたものである。
【００２４】
このように構成すると、フィルターはプレートと磁石とで挟まれる。
【００２５】
請求項４記載の発明は、請求項３記載の発明の構成において、磁石は、少なくとも対向位置に一対設置され、フィルターの内面に接するように、磁石の各々に架け渡す磁性材料よりなる補強材を更に備えたものである。
【００２６】
このように構成すると、フィルターは補強材を介してカバー本体側に移動する。
【００２７】
請求項５記載の発明は、請求項１記載の発明の構成において、カバー本体は木製材料より構成され、取付手段は、カバー本体及びフランジ部の各々に取付けられた一対の面ファスナーを含むものである。
【００２８】
このように構成すると、カバー本体が非磁性材料であっても取り付け可能となる。
【００２９】
請求項６記載の発明は、請求項５記載の発明の構成において、面ファスナーの各々の間に配置され、開口を内方から覆うように取付けられるフィルターを更に備えたものである。
【００３０】
このように構成すると、フィルターは面ファスナーの各々で挟まれる。
【００３１】
請求項７記載の発明は、請求項１記載の発明の構成において、カバー本体は、磁性材料より構成され、取付手段は、フランジ部に取付けられた磁石を含むものである。
【００３２】
このように構成すると、カバー本体は磁石に吸着される。
【００３３】
請求項８記載の発明は、換気口カバー構造体であって、壁面にフランジ部を有する換気口と、換気口を覆うような大きさに形成されると共にフランジ部から外方に延びる平坦部を有し、開口を有する平板状のカバー本体と、フランジ部周りの壁面及び平坦部の裏面の少なくとも一方に設けられ、カバー本体を壁面に着脱自在に取付けることができる取付手段とを備えたものである。
【００３４】
このように構成すると、平坦部を利用してカバー本体が取付けられる。
【発明の効果】
【００３５】
以上説明したように、請求項１記載の発明は、フランジ部を利用してカバー本体が取付けられるので、壁面に取り付け痕が残らない。
【００３６】
請求項２記載の発明は、請求項１記載の発明の効果に加えて、カバー本体が非磁性材料であっても取り付け可能となるので、カバー本体の材質を問わない。
【００３７】
請求項３記載の発明は、請求項２記載の発明の効果に加えて、フィルターはプレートと磁石とで挟まれるので、フィルターの取り付け状態が安定する。
【００３８】
請求項４記載の発明は、請求項３記載の発明の効果に加えて、フィルターは補強材を介してカバー本体側に移動するので、フィルターの取り付け状態がより安定する。
【００３９】
請求項５記載の発明は、請求項１記載の発明の効果に加えて、カバー本体が非磁性材料であっても取り付け可能となるので、カバー本体の材質を問わない。
【００４０】
請求項６記載の発明は、請求項５記載の発明の効果に加えて、フィルターは面ファスナーの各々で挟まれるので、フィルターの取り付け状態が安定する。
【００４１】
請求項７記載の発明は、請求項１記載の発明の効果に加えて、カバー本体は磁石に吸着されるので、効率的な取り付けとなる。
【００４２】
請求項８記載の発明は、平坦部を利用してカバー本体が取付けられるので、カバー本体だけで換気口を覆うことができる。
【図面の簡単な説明】
【００４３】
【図１】この発明の第１の実施の形態による換気口カバー構造体のカバー本体の外観形状を示した正面図である。
【図２】図１で示したカバー本体の背面図である。
【図３】図１で示したカバー本体の取付過程を示した模式図であって、第２の従来技術の図１８に対応する図である。
【図４】図３の（２）で示したＩＶ−ＩＶラインの拡大端面図である。
【図５】この発明の第２の実施の形態による換気口カバー構造体のカバー本体の外観形状を示した背面図であって、第１の実施の形態の図２に対応する図である。
【図６】図５で示したカバー本体の組み立て過程を示した模式図である。
【図７】図５で示したカバー本体の取付過程を示した模式図であって、第１の実施の形態の図３に対応する図である。
【図８】図７の（２）で示したＶＩＩＩ−ＶＩＩＩラインの拡大端面図である。
【図９】この発明の第３の実施の形態による換気口カバー構造体のカバー本体の外観形状を示した正面図であって、第１の実施の形態の図１に対応する図である。
【図１０】図９で示したカバー本体の背面図であって、第１の実施の形態の図２に対応する図である。
【図１１】図９で示したカバー本体の取付過程を示した模式図であって、第１の実施の形態の図３に対応する図である。
【図１２】図１１の（２）で示したＸＩＩ−ＸＩＩラインの拡大端面図であって、第１の実施の形態の図４に対応する図である。
【図１３】この発明の第４の実施の形態による換気口カバー構造体のカバー本体の外観形状を示した背面図であって、第１の実施の形態の図２に対応する図である。
【図１４】図１３で示したカバー本体の取付過程を示した模式図であって、第１の実施の形態の図３に対応する図である。
【図１５】図１４の（２）で示したＸＶ−ＸＶラインの拡大端面図であって、第１の実施の形態の図４に対応する図である。
【図１６】従来のフィルターの取付過程を示した模式図である。
【図１７】特許文献１に示されている、従来のフィルター装置のハウジング本体の外観形状を示した正面図である。
【図１８】図１７で示したハウジング本体の取付過程を示した模式図であって、第１の従来技術の図１６に対応した図である。
【図１９】図１８の（２）で示したＸＩＸ−ＸＩＸラインの拡大端面図である。
【発明を実施するための形態】
【００４４】
図１は、この発明の第１の実施の形態による換気口カバー構造体のカバー本体の外観形状を示した正面図であり、図２は、図１で示したカバー本体の背面図であり、図３は、図１で示したカバー本体の取付過程を示した模式図であって、従来のフィルター装置の図１８に対応する図であり、図４は、図３の（２）で示したＩＶ−ＩＶラインの拡大端面図である。
【００４５】
まず、図３及び図４を参照して、換気口カバー構造体１は、カバー本体１０と、取付手段２０と、フィルター３０と、換気口６０とからなる。尚、換気口６０は、図１８に示したものと同一であるため、ここでの説明は繰り返さない。このように構成すると、取り付けるための部品点数が少なく、コスト減となる。
【００４６】
次に、図１、図２及び図４を参照して、カバー本体１０は、合板をプレス成型したものからなり、換気口６０を覆うような大きさに形成され、その中心付近に開口１１を有する平板状のものである。
【００４７】
更に、図４を参照して、取付手段２０は、鉄製等の磁性素材よりなるプレート２１と、ヨーク２３付の磁石２２とからなる。このように構成すると、取付手段２０は着脱自在のものとなり、使い勝手が良い。尚、磁石２２はヨーク２３を使用しているため、吸着力が上がり、かつ取り付けやすいものとなっている。
【００４８】
更に、図２、図３及び図４を参照して、プレート２１は、カバー本体１０の裏面であって開口１１より外方に、図示しない両面テープによって、計４枚取り付けられる。このプレート２１は２枚で一対とし、対になったプレート２１同士は対向位置に設置される。又、磁石２２は、換気口６０のフランジ部６２の表面であって、カバー本体１０を換気口６０に重ねたときにプレート２１の各々が重なる部分にそれぞれ１つずつ、つまり計４つ、ヨーク２３の表面に貼り付けた図示しない両面テープによって取り付けられる。このように構成すると、カバー本体１０が非磁性材料であっても取付手段２０を用いることができるので、カバー本体１０の材質を問わなくて良い。
【００４９】
更に、図３及び図４を参照して、フィルター３０は、不織布や布等の、微細ごみの通過を防ぎつつ外気を通せる素材よりなり、プレート２１と磁石２２との間に配置され、かつ、カバー本体１０の開口１１を内方から覆うように取り付けられる大きさに形成されている。このように構成することによる効果は後述する。
【００５０】
換気口カバー構造体１を組み立てるに当たっては、まず、図３の（１）を参照して、換気口６０のフランジ部６２に磁石２２を取り付け、その上からフィルター３０を重ねる。尚、フィルター３０の大きさは上述の通りであるから、フィルター３０は通気孔６３を覆い、４つの磁石２２の各々に部分的に被さる。
【００５１】
次に、図３の（２）を参照して、カバー本体１０を換気口６０に重ねる。このようにすると、プレート２１が磁石２２に引き付けられることにより、カバー本体１０が換気口６０のフランジ部６２に取り付けられる。このようにして、換気口カバー構造体１の組み立てが完了する。
【００５２】
ここで再度図４を参照して、カバー本体１０は、換気口６０のフランジ部６２を利用して取り付けられている。よって、換気口カバー構造体１は、壁面６１に取り付け痕を残すものにならない。又、簡単にカバー本体１０を取り付けることができる。
【００５３】
更に、フィルター３０は、プレート２１と磁石２２とで挟まれて保持されるため、取り付け状態が安定したものとなるとともに、交換容易なものとなる。
【００５４】
図５は、この発明の第２の実施の形態による換気口カバー構造体のカバー本体の外観形状を示した背面図であって、第１の実施の形態の図２に対応する図であり、図６は、図５で示したカバー本体の組み立て過程を示した模式図である。
【００５５】
まず、図５を参照して、第１の実施の形態によるカバー本体１０において、プレート２１が取り付けられていた位置に磁石２２が取り付けられ、フィルター３０と、鉄製ワイヤー等の磁性素材よりなる補強材４０ａ及び４０ｂとを備えたものに置き換えられている。尚、他の部分は図２に示したものと同一であるため、ここでの説明は繰り返さない。
【００５６】
カバー本体１０の組み立てに当たっては、まず、図６の（１）を参照して、磁石２２をカバー本体１０に取り付ける。
【００５７】
次に、図６の（２）を参照して、フィルター３０を、開口１１を覆い、かつ磁石２２の各々に部分的に被さるように配置する。
【００５８】
更に、再度図５を参照して、対向位置に設置された一対の磁石２２の各々に、フィルター３０の内面に接するようにして補強材４０ａ及び４０ｂを架け渡す。このようにして、フィルター３０を磁石２２と補強材４０ａ及び４０ｂとで挟んで、カバー本体１０に固定して、カバー本体１０の組み立てが完了する。尚、補強材４０ａ及び４０が磁石２２に架け渡されることによる更なる効果は後述する。
【００５９】
図７は、図５で示したカバー本体の取付過程を示した模式図であって、第１の実施の形態の図３に対応する図である。
【００６０】
図を参照して、第１の実施の形態による換気口６０において、磁石２２が取り付けられていた位置にプレート２１が取り付けられたものに、第１の実施の形態によるカバー本体１０が、第２の実施の形態によるカバー本体１０に置き換えられている。尚、他の部分は図３に示したものと同一であるため、ここでの説明は繰り返さない。
【００６１】
図８は、図７の（２）で示したＶＩＩＩ−ＶＩＩＩラインの拡大端面図である。
【００６２】
図を参照して、プレート２１と磁石２２とからなる取付手段２０によりカバー本体１０がフランジ部６２に取り付けられると、補強材４０ａ及び４０ｂが、フィルター３０と共にプレート２１と磁石２２に挟み込まれる。
【００６３】
尚、上述の通り、補強材４０ａ及び４０ｂはフィルター３０の内面に接するように磁石２２の各々に架け渡されているから、フィルター３０は補強材４０ａ及び４０ｂを介してカバー本体１０の側に移動し、カバー本体１０に押し付けられる。よって、フィルター３０の取り付け状態がより安定する。
【００６４】
図９は、この発明の第３の実施の形態による換気口カバー構造体のカバー本体の外観形状を示した正面図であって、第１の実施の形態の図１に対応する図であり、図１０は、図９で示したカバー本体の背面図であって、第１の実施の形態の図２に対応する図である。
【００６５】
これらの図を参照して、第１の実施の形態によるカバー本体１０が、カバー本体１０の外周縁から外方に延びる平坦部１２を有し、平坦部１２の裏面にプレート２１が取り付けられたものに置き換えられている。尚、プレート２１の枚数やプレート２１同士の設置位置の関係等、その他の部分は、図１及び図２に示したものと同一であるため、ここでの説明は繰り返さない。
【００６６】
図１１は、図９で示したカバー本体の取付過程を示した模式図であって、第１の実施の形態の図３に対応する図であり、図１２は、図１１の（２）で示したＸＩＩ−ＸＩＩラインの拡大端面図であって、第１の実施の形態の図４に対応する図である。
【００６７】
これらの図を参照して、第１の実施の形態ではフランジ部６２の表面に取り付けられていた磁石２２が、フランジ部６２の周りの壁面６１に取り付けられている。又、第１の実施の形態によるカバー本体１０が、第３の実施の形態によるカバー本体１０に置き換えられている。更に、第１の実施の形態によるフィルター３０が、カバー本体１０の外縁からはみ出ないように、角を丸みを帯びるようにカットされたものに置き換えられている。尚、磁石２２の個数やプレート２１との設置位置の関係等、その他の部分は、図３及び図４に示したものと同一であるため、ここでの説明は繰り返さない。
【００６８】
このように構成すると、平坦部１２を利用してカバー本体１０が取り付けられるから、カバー本体１０だけで換気口６０を覆うことができる。又、フランジ部６２の表面と、カバー本体１０の裏面との距離が近くなり、より安定したものとなる。
【００６９】
図１３は、この発明の第４の実施の形態による換気口カバー構造体のカバー本体の外観形状を示した背面図であって、第１の実施の形態の図２に対応する図である。
【００７０】
図１３を参照して、第１の実施の形態によるカバー本体１０において、プレート２１が取り付けられていた位置に面ファスナー２６が取り付けられ、フィルター３０を備えたものに置き換えられている。尚、第４の実施の形態では、フィルター３０は不織布で形成されている。よって、フィルター３０は面ファスナー２６の各々と係合することで、カバー本体１０に固定されている。尚、他の部分は図２に示したものと同一であるため、ここでの説明は繰り返さない。
【００７１】
図１４は、図１３で示したカバー本体の取付過程を示した模式図であって、第１の実施の形態の図３に対応する図であり、図１５は、図１４の（２）で示したＸＶ−ＸＶラインの拡大端面図であって、第１の実施の形態の図４に対応する図である。
【００７２】
これらの図を参照して、第１の実施の形態による換気口６０において、磁石２２が取り付けられていた位置に面ファスナー２７が取り付けられたものに、第１の実施の形態によるカバー本体１０が、第４の実施の形態によるカバー本体１０に置き換えられている。取付手段２０は、面ファスナー２６及び２７からなる。尚、他の部分は図３及び図４に示したものと同一であるため、ここでの説明は繰り返さない。
【００７３】
このように構成すると、カバー本体１０が非磁性材料であっても取り付け可能であるため、カバー本体１０の材質が問われない。又、フィルター３０が面ファスナー２６及び２７の各々で挟まれるため、フィルター３０の取り付け状態が安定する。更に、取付手段２０の厚みが薄くなるため、フランジ部６２の表面とカバー本体１０の裏面との距離が近くなり、より安定したものとなる。
【００７４】
尚、上記の各実施の形態では、換気口カバー構造体はフィルターを有するものであったが、フィルターを有さないものであっても良い。
【００７５】
又、上記の各実施の形態では、カバー本体は合板をプレス成型したものからなるものであったが、樹脂、金属、非金属、その他の素材よりなるものであっても良い。特に、取付手段として換気口側に磁石を設置する場合は、カバー本体の一部又は全部を磁性素材で構成すると、カバー本体自体が磁石に吸着されるため、効率的な取り付けとなり望ましい。又、カバー本体の意匠性を重視する場合は、カバー本体を天然材料の木材を３層構造以上にしたものをプレス成型すると、耐久性及び意匠性が高まり望ましい。
【００７６】
更に、上記の各実施の形態では、取付手段に挟んでフィルターを保持していたが、吸着剤、粘着剤、面ファスナー等を用いて保持しても良い。
【００７７】
更に、上記の各実施の形態では、取付手段の取り付けに両面テープを用いていたが、その他の吸着剤や粘着剤を用いても良い。
【００７８】
更に、上記の第１の実施の形態から第３の実施の形態では、磁石はヨークを使用するものとなっていたが、ヨークは無くても良い。
【００７９】
更に、上記の第１の実施の形態及び第３の実施の形態では、カバー本体の裏面にプレートを取り付けていたが、カバー本体の中にプレートをインサートした樹脂成型品を用いても良い。
【００８０】
更に、上記の第１の実施の形態及び第３の実施の形態では、カバー本体にプレートを、フランジ部に磁石を取り付けていたが、これらは入れ替えても良い。
【００８１】
更に、上記の第２の実施の形態では、カバー本体に磁石を、フランジ部にプレートを取り付けていたが、これらは入れ替えても良い。
【００８２】
更に、上記の第１の実施の形態、第３の実施の形態及び第４の実施の形態では、取付手段が４組設けられていたが、少なくとも１組設けられていれば良い。
【００８３】
更に、上記の第２の実施の形態では、４組の取付手段と、２つの補強材とを備えるものであったが、対向位置に設置される少なくとも一対の取付手段と、これに架け渡す少なくとも１つの補強材とが備えられていれば良い。
【００８４】
更に、上記の第２の実施の形態では、補強材はワイヤーとしていたが、磁性素材からなるものであれば、細幅の板等であっても良い。
【符号の説明】
【００８５】
１…換気口カバー構造体
１０…カバー本体
１１…開口
１２…平坦部
２０…取付手段
２１…プレート
２２…磁石
２６…面ファスナー
２７…面ファスナー
３０…フィルター
４０ａ、４０ｂ…補強材
６０…換気口
６１…壁面
６２…フランジ部
尚、各図中同一符号は同一又は相当部分を示す。
【図１】
2011247486.tif 000003
【図２】
2011247486.tif 000004
【図３】
2011247486.tif 000005
【図４】
2011247486.tif 000006
【図５】
2011247486.tif 000007
【図６】
2011247486.tif 000008
【図７】
2011247486.tif 000009
【図８】
2011247486.tif 000010
【図９】
2011247486.tif 000011
【図１０】
2011247486.tif 000012
【図１１】
2011247486.tif 000013
【図１２】
2011247486.tif 000014
【図１３】
2011247486.tif 000015
【図１４】
2011247486.tif 000016
【図１５】
2011247486.tif 000017
【図１６】
2011247486.tif 000018
【図１７】
2011247486.tif 000019
【図１８】
2011247486.tif 000020
【図１９】
2011247486.tif 000021